(57)【要約】【課題】電源供給の有無を低い消費電力で検知できる電源供給装置及びそれを備えた画像形成装置を提供する。【解決手段】本発明の電源供給装置は、ＡＣ電源を入力する入力部と、入力されたＡＣ電源を予め設定された大きさを有するＤＣ電源に変換して出力する変換部と、入力部に並列接続されてＡＣ電源の入力の有無を検知する検知部と、を備え、検知部は、ＡＣ電源を入力してＡＣ電源の大きさより小さな大きさの検知信号を出力するトランスフォーマーと、トランスフォーマーに入力されるＡＣ電源の電流が予め設定された電流以下になるようにトランスフォーマーに直列接続された抵抗部と、を含む。【選択図】図１
2013240270.tif 000002
【特許請求の範囲】
【請求項１】
ＡＣ電源を入力する入力部と、
前記入力されたＡＣ電源を予め設定された大きさを有するＤＣ電源に変換して出力する変換部と、
前記入力部に並列接続されて前記ＡＣ電源の入力の有無を検知する検知部と、を備え、
前記検知部は、
前記ＡＣ電源を入力して前記ＡＣ電源の大きさより小さな大きさの検知信号を出力するトランスフォーマーと、
前記トランスフォーマーに入力されるＡＣ電源の電流が予め設定された電流以下になるように前記トランスフォーマーに直列接続された抵抗部と、を含むことを特徴とする電源供給装置。
【請求項２】
前記検知信号は、前記ＡＣ電源と電気的に絶縁された信号であることを特徴とする請求項１に記載の電源供給装置。
【請求項３】
前記トランスフォーマーは、
一端が前記抵抗部に接続されて他端が前記入力部に接続される１次側コイルと、
一端が前記検知信号を出力して他端が接地される２次側コイルと、を含むことを特徴とする請求項１又は２に記載の電源供給装置。
【請求項４】
前記１次側コイルのコイル巻数は、前記２次側コイルのコイル巻数より多いことを特徴とする請求項３に記載の電源供給装置。
【請求項５】
前記１次側コイルと前記２次側コイルとのコイル巻数比は３００：１であることを特徴とする請求項３に記載の電源供給装置。
【請求項６】
前記抵抗部は、０．２ＭΩ〜２０ＭΩの抵抗値を有することを特徴とする請求項３に記載の電源供給装置。
【請求項７】
前記検知信号は、ＡＣ電源が入力される場合に前記ＡＣ電源の交流周波数と同一の周波数を有することを特徴とする請求項１乃至６のいずれか一項に記載の電源供給装置。
【請求項８】
前記出力される検知信号を増幅して出力する増幅部を更に含むことを特徴とする請求項１乃至７のいずれか一項に記載の電源供給装置。
【請求項９】
前記増幅部は、トランジスタ及び演算増幅器のうちの少なくとも一つを用いて前記検知信号を増幅することを特徴とする請求項８に記載の電源供給装置。
【請求項１０】
前記出力された検知信号をフィルタリングするフィルタ部と、
前記フィルタリングされた検知信号を増幅して出力する増幅部と、を更に含むことを特徴とする請求項１乃至９のいずれか一項に記載の電源供給装置。
【請求項１１】
前記出力された検知信号を増幅して出力する第１増幅部と、
前記増幅された検知信号をフィルタリングするフィルタ部と、
前記フィルタリングされた検知信号を２次増幅して出力する第２増幅部と、を更に含むことを特徴とする請求項１乃至９のいずれか一項に記載の電源供給装置。
【請求項１２】
前記第１増幅部は、演算増幅器を用いる比較器であることを特徴とする請求項１１に記載の電源供給装置。
【請求項１３】
前記フィルタ部は、ローパスフィルタ又はハイパスフィルタのうちの少なくとも一つであることを特徴とする請求項１１又は１２に記載の電源供給装置。
【請求項１４】
前記入力部に並列接続されるバリスタを更に含むことを特徴とする請求項１乃至１３のいずれか一項に記載の電源供給装置。
【請求項１５】
画像形成装置において、
前記画像形成装置に電源を供給してＡＣ電源の入力の有無を検知信号として出力する電源供給部と、
印刷データを受信する通信インターフェース部と、
前記受信した印刷データを印刷する画像形成部と、
前記検知信号を用いてＡＣ電源の入力の有無を判断し、判断の結果、ＡＣ電源が入力されていないと判断されると、前記受信した印刷データに対する印刷作業を取り消す制御部と、を備え、
前記電源供給部は、
前記ＡＣ電源を入力して前記ＡＣ電源の大きさより小さな大きさの検知信号を出力するトランスフォーマーと、
前記トランスフォーマーに入力されるＡＣ電源の電流が予め設定された電流以下になるように前記トランスフォーマーに直列接続された抵抗部と、を含むことを特徴とする画像形成装置。
【発明の詳細な説明】
【技術分野】
【０００１】
本発明は、電源供給装置及びそれを備えた画像形成装置に関し、より詳細には、画像形成装置の電源供給の有無を低い消費電力で検知することができる電源供給装置及びそれを備えた画像形成装置に関する。
【背景技術】
【０００２】
画像形成装置は、画像データの生成、印刷、受信、転送等を行う装置として、代表的な例としては、プリンタ、スキャナ、コピー機、ファックス、及びそれらの機能を統合実現した複合機等を挙げることができる。
【０００３】
画像形成装置は、電源（具体的に、ＡＣ電源）が供給されているか、供給されていないかに対する情報が必要である。具体的に、画像形成装置には、大きい容量のエネルギー保存素子が備えられることにより、一時的に外部電源が遮断されたとしても、システムが直ちに終了しない。それにより、ユーザが印刷作業の中断を目的にＡＣ電源コードを抜いてから直ぐに挿す場合にも、メモリに保存されたデータが保持され、不要な印刷が進められることがある。
【０００４】
このようなことから、画像形成装置は、電源が供給されているか否かを検知し、電源供給が遮断されていることを検知すると、直ちにメモリに保存されたデータを削除する動作を実行していた。
【０００５】
一方、従来は、フォトカプラーを用いて電源供給の有無を検知していたが、フォトカプラーを利用する場合、待ち受けモード時の消費電力を１Ｗ以下に保持することが困難であるという問題があった。
【０００６】
具体的に、フォトカプラーは、一定電流をバイアスさせて、はじめて信号を伝達することができるため、かなり多くの消費電力（略、０．２Ｗ）が発生するようになり、このような消費電力は、待ち受けモード時の消費電力１Ｗを達成するのに高い割合を占める。
従って、低い消費電力で電力供給の有無を検知することができる方法が求められている。
【先行技術文献】
【特許文献】
【０００７】
【特許文献１】特開平１１−１９１４８３号公報
【特許文献２】韓国特許出願公開第１９８９−００１３９５３号明細書
【発明の概要】
【発明が解決しようとする課題】
【０００８】
本発明は、上記従来の問題点に鑑みてなされたものであって、本発明の目的は、画像形成装置の電源供給の有無を低い消費電力で検知することができる電源供給装置及びそれを備えた画像形成装置を提供することにある。
【課題を解決するための手段】
【０００９】
上記目的を達成するためになされた本発明の一態様による電源供給装置は、ＡＣ電源を入力する入力部と、前記入力されたＡＣ電源を予め設定された大きさを有するＤＣ電源に変換して出力する変換部と、前記入力部に並列接続されて前記ＡＣ電源の入力の有無を検知する検知部と、を備え、前記検知部は、前記ＡＣ電源を入力して前記ＡＣ電源の大きさより小さな大きさの検知信号を出力するトランスフォーマーと、前記トランスフォーマーに入力されるＡＣ電源の電流が予め設定された電流以下になるように前記トランスフォーマーに直列接続された抵抗部と、を含む。
【００１０】
この場合、前記検知信号は、前記ＡＣ電源と電気的に絶縁された信号であり得る。
前記トランスフォーマーは、一端が前記抵抗部に接続されて他端が前記入力部に接続される１次側のコイルと、一端が前記検知信号を出力して他端が接地される２次側コイルと、を含み得る。
この場合、前記１次側コイルのコイル巻数は、前記２次側コイルのコイル巻数より多くあり得る。
前記１次側コイルと前記２次側コイルとのコイル巻数比は３００：１であり得る。
前記抵抗部は、０．２ＭΩ〜２０ＭΩの抵抗値を有し得る。
前記検知信号は、ＡＣ電源が入力される場合に前記ＡＣ電源の交流周波数と同一の周波数を有し得る。
一方、前記電源供給装置は、前記出力される検知信号を増幅して出力する増幅部を更に含むことができる。
この場合、前記増幅部は、トランジスタ及び演算増幅器のうちの少なくとも一つを用いて前記検知信号を増幅し得る。
また、前記電源供給装置は、前記出力された検知信号をフィルタリングするフィルタ部と、前記フィルタリングされた検知信号を増幅して出力する増幅部と、を更に含むことができる。
或いは、前記電源供給装置は、前記出力された検知信号を増幅して出力する第１増幅部と、前記増幅された検知信号をフィルタリングするフィルタ部と、前記フィルタリングされた検知信号を２次増幅して出力する第２増幅部と、を更に含むことができる。
この場合、前記第１増幅部は、演算増幅器を用いる比較器であり得る。
前記フィルタ部は、ローパスフィルタ又はハイパスフィルタのうちの少なくとも一つであり得る。
前記変換部は、ＳＭＰＳ（Ｓｗｉｔｃｈｅｄ−ｍｏｄｅ  ｐｏｗｅｒ  ｓｕｐｐｌｙ）であり得る。
また、前記電源供給装置は、前記入力部に並列接続されるバリスタを更に含むことができる。
【００１１】
上記目的を達成するためになされた本発明の一態様による画像形成装置は、前記画像形成装置に電源を供給してＡＣ電源の入力の有無を検知信号として出力する電源供給部と、印刷データを受信する通信インターフェース部と、前記受信した印刷データを印刷する画像形成部と、前記検知信号を用いてＡＣ電源の入力の有無を判断し、判断の結果、ＡＣ電源が入力されていないと判断されると、前記受信した印刷データに対する印刷作業を取り消す制御部と、を備え、前記電源供給部は、前記ＡＣ電源を入力して前記ＡＣ電源の大きさより小さな大きさの検知信号を出力するトランスフォーマーと、前記トランスフォーマーに入力されるＡＣ電源の電流が予め設定された電流以下になるように前記トランスフォーマーに直列接続された抵抗部と、を含む。
【００１２】
この場合、前記制御部は、前記検知信号が予め設定された周期の間、位相変化がない場合にＡＣ電源が入力されていないと判断し得る。
一方、前記画像形成装置は、前記ＡＣ電源が入力されていないことを検知すると、前記画像形成装置のシステムデータをバックアップして保存する保存部を更に含むことができる。
前記制御部は、前記ＡＣ電源が入力されていないと判断すると、前記画像形成装置をリセットし得る。
前記トランスフォーマーは、一端が前記抵抗部に接続されて他端が前記ＡＣ電源の一端と接続される１次側のコイルと、一端が前記検知信号を出力して他端が接地される２次側コイルと、を含み得る。
【発明の効果】
【００１３】
本発明によれば、画像形成装置は、電源供給装置によりＡＣ電源の入力の有無を検知することから、ユーザが印刷作業を中断することを目的としてＡＣ電源コードを抜いてから再び挿した場合でも、ユーザの意図に合う動作を行うことができる。なお、本実施形態による画像形成装置は、低い消費電力で電源供給の有無を検知する回路を利用することで、待ち受けモード時の消費電力１Ｗを容易に達成することができる。
【図面の簡単な説明】
【００１４】
【図１】本発明の一実施形態による画像形成装置の構成を示すブロック図である。
【図２】本発明の一実施形態による電源供給装置の構成を示すブロック図である。
【図３】第１実施形態による検知部の構成を示すブロック図である。
【図４】第１実施形態による検知部の回路図である。
【図５】第２実施形態による検知部の構成を示すブロック図である。
【図６】第２実施形態による検知部の回路図である。
【図７】第３実施形態による検知部の構成を示すブロック図である。
【図８】第３実施形態による検知部の回路図である。
【図９】本発明の一実施形態による画像形成方法を示すフローチャートである。
【発明を実施するための形態】
【００１５】
以下、本発明を実施するための形態の具体例を、図面を参照しながら詳細に説明する。
【００１６】
図１は、本発明の一実施形態による画像形成装置の構成を示すブロック図である。
【００１７】
図１によると、画像形成装置１００は、通信インターフェース部１１０、ユーザインターフェース部１２０、保存部１３０、画像形成部１４０、制御部１５０、及び電源供給部２００で構成される。本実施形態による画像形成装置１００は、プリンタ、コピー機、ファクシミリ、及びこれらの機能を統合実現した複合機等である。
【００１８】
通信インターフェース部１１０は、画像形成装置１００を印刷制御端末装置（図示せず）に接続するために備えられ、ローカルエリアネットワーク（ＬＡＮ：Ｌｏｃａｌ  Ａｒｅａ  Ｎｅｔｗｏｒｋ）及びインターネット網を通じて接続される形態だけでなく、ＵＳＢ（Ｕｎｉｖｅｒｓａｌ  Ｓｅｒｉａｌ  Ｂｕｓ）ポートを通じて接続される形態、無線通信（例えば、ＧＳＭ（登録商標）、ＵＭＴＳ、ＬＴＥ等の無線通信）方式によって接続される形態でも具現され得る。
【００１９】
通信インターフェース部１１０は、印刷制御端末装置（図示せず）からジョブデータ（例えば、印刷データ、ファックス送信データ）を受信し、画像形成装置１００で生成されたジョブデータ（例えば、スキャンデータ、ファックス受信データ）を印刷制御端末装置に転送する。ここで、印刷データは、ＰＳ（Ｐｏｓｔｓｃｒｉｐｔ）、ＰＣＬ（Ｐｒｉｎｔｅｒ  Ｃｏｎｔｒｏｌ  Ｌａｎｇｕａｇｅ）等のようなプリンタ言語のデータであってもよく、画像形成装置１００がダイレクトプリンティングをサポートする場合、ＰＤＦ、ＸＰＳ、ＢＭＰ、ＪＰＧ等のファイルそのものであってもよい。
【００２０】
ユーザインターフェース部１２０は、画像形成装置１００でサポートする各種機能をユーザが設定又は選択できる多数の機能キーを備え、画像形成装置１００で提供される各種情報を表示する。ユーザインターフェース部１２０は、タッチスクリーン等のように、入力と出力とを同時に実現できる装置で具現されてもよく、複数のボタン及びモニタの組み合わせを通じた装置で具現することも可能である。
【００２１】
保存部１３０は、印刷データを保存する。具体的に、保存部１３０は、通信インターフェース部１１０から受信した印刷データを保存する。このような保存部１３０は、画像形成装置１００内の保存媒体だけでなく、外部保存媒体、ＵＳＢメモリを含むＲｅｍｏｖａｂｌｅ  Ｄｉｓｋ、ネットワークを通じたウェブサーバ（Ｗｅｂ  ｓｅｒｖｅｒ）等で具現され得る。
【００２２】
保存部１３０は、システムデータをバックアップして保存する。具体的に、ＡＣ電源が入力されていないことが検知されると、保存部１３０は、画像形成装置１００のシステムデータをバックアップして保存する。ここで、システムデータは、画像形成装置の電源オフ時にバックアップされるべき作業ログ情報、状態情報等のデータである。
【００２３】
画像形成部１４０は、印刷データを出力する。具体的に、画像形成部１４０は、通信インターフェース部１１０を介して受信した印刷データ又は保存部１３０に予め保存された印刷データに対して印刷作業を行う。一方、本実施形態では、画像形成装置１００に印刷作業を行う画像形成部１４０のみが含まれるものとして示しているが、画像形成装置１００がファックス転送及びファックス受信等のファックス機能をサポートする場合には、ファックス機能を実行するファックス処理部が具備され、画像形成装置１００がスキャン機能をサポートする場合には、スキャン機能を実行するスキャン処理部が更に具備される。
【００２４】
制御部１５０は、画像形成装置１００内の各構成に対する制御を実行する。具体的に、制御部１５０は、通信インターフェース部１１０を介して印刷作業が受信されると、受信した印刷作業に対する印刷が行われるように画像形成部１４０を制御する。
【００２５】
制御部１５０は、検知信号を用いてＡＣ電源の入力の有無を判断する。具体的に、制御部１５０は、検知信号が予め設定された周期（略、２０ｍｓ）の間、位相変化がない場合にＡＣ電源が入力されていないと判断し、予め設定された周期の間、位相変化がある場合にＡＣ電源が入力されていると判断することができる。一方、本実施形態では、制御部１５０が検知信号を用いてＡＣ電源の入力の有無を判断するものとして示しているが、実施形態として、制御部１５０以外の別途の構成が検知信号を用いてＡＣ電源の入力有無を判断し、その結果を制御部１５０に転送する形態でも具現することができる。
【００２６】
ＡＣ電源が入力されていないと判断されると、制御部１５０は、受信した印刷データに対する印刷作業を取り消し、システムデータを保存部１３０にバックアップしてシステムをリセットする。
【００２７】
制御部１５０は、画像形成装置の動作モードを決定する。具体的に、制御部１５０は、印刷作業の有無、印刷作業後の経過時間等を判断し、画像形成装置１００の動作モードを節電モードにするか、又は通常モードにするかを決定する。ここで、節電モードとは、システムが何ら作業を行っていないときに消耗する電力を最小限化するために、多くのモジュールの電力供給を遮断又は最小限化する動作モードのことをいう。
【００２８】
制御部１５０は、決定された動作モードに対応する動作状態を有するように、画像形成装置１００内の各構成を制御する。例えば、節電モードに決定された場合、制御部１５０は、通信インターフェース部１１０及び制御部１５０のみが作動するように、画像形成装置１００内の各構成を制御する。
【００２９】
電源供給部２００は、画像形成装置１００の各構成に電源を供給し、ＡＣ電源の入力の有無を検知信号として出力する。具体的に、電源供給部２００は、外部からＡＣ電源を入力し、ＡＣ電源を予め設定された大きさを有するＤＣ電源に変換して出力する。一方、本実施形態では、一つのＤＣ電源のみを出力するものとして示しているが、画像形成装置１００がそれぞれ異なる大きさの複数のＤＣ電源を利用する場合、電源供給部２００は異なる大きさの複数のＤＣ電源を出力する。
【００３０】
電源供給部２００は、ＡＣ電源の入力の有無を検知信号として出力する。具体的に、電源供給部２００は、低い消費電力で作動する検知回路を用いてＡＣ電源と電気的に絶縁された検知信号を制御部１５０に提供する。このような電源供給部２００の具体的な構成及び動作については、図２を参照して後述する。
【００３１】
上述のように、本実施形態による画像形成装置１００は、ＡＣ電源の入力の有無を検知するため、ユーザが印刷作業の中断を目的としてＡＣ電源コードを抜いてから再び挿す場合にも、ユーザの意図に合う動作を実行することができる。なお、本実施形態による画像形成装置１００は、低い消費電力で電源供給の有無を検知する回路を利用するため、待ち受けモード時の消費電力１Ｗを容易に達成することができる。
【００３２】
一方、図１を説明する上で、電源供給部２００が画像形成装置１００に含まれるものとして示しているが、電源供給部２００は、別途の装置に具現されてもよく、この場合、電源供給部２００は、電源供給の有無の検知が必要な如何なる電子装置にも適用され得る。
【００３３】
なお、図１を説明する上で、電源供給部２００が複数の電源を出力しながらＡＣ電源の入力の有無を検知するものとして説明しているが、実施形態として、複数の電源を出力する機能及びＡＣ電源の入力の有無を検知する機能は、各々別の構成で実行する形態でも具現することができる。
【００３４】
図２は、本発明の一実施形態による電源供給装置の構成を示すブロック図である。
【００３５】
図２によると、電源供給装置２００は、入力部２１０、変換部２２０、及び検知部３００で構成される。ここで、電源供給装置２００は、特定の電子装置に内蔵される形態であってもよく、アダプタ形態であってもよい。
【００３６】
入力部２１０は、ＡＣ電源が入力される。具体的に、入力部２１０は、一般的な商用交流電源（例えば、２３０Ｖ、５０Ｈｚ）が入力される。
【００３７】
変換部２２０は、入力されたＡＣ電源を予め設定された大きさを有するＤＣ電源に変換して出力する。具体的に、変換部２２０は、スイッチングモード型の電源供給装置（Ｓｗｉｔｃｈｉｎｇ  Ｍｏｄｅ  Ｐｏｗｅｒ  Ｓｕｐｐｌｙ：以下、「ＳＭＰＳ」という）で具現され、入力されたＡＣ電源を予め設定された大きさを有するＤＣ電源（例えば、２４Ｖ又は５Ｖ）に変換して出力する。一方、図示する例では、一つのＤＣ電源のみを出力するものとして示しているが、具現時に、変換部２２０はそれぞれ異なる大きさの複数のＤＣ電源を出力することができる。なお、実施形態として、変換部２２０は整流回路及びトランスフォーマーで具現され得る。
【００３８】
検知部３００は、入力部２１０に並列接続され、ＡＣ電源の入力の有無を検知する。検知部３００は、ＡＣ電源の入力の有無を検知信号として出力する。検知部３００の具体的な構成及び動作については、以下の図３〜図８を参照して説明する。
【００３９】
一方、電源供給装置２００は、図４、図６、及び図８に示すように、ヒューズ２３０及びバリスタ２４０を更に含む。
【００４０】
ヒューズ２３０は、入力部２１０と変換部２２０との間に直列接続され、過電流が電源供給装置２００内の変換部２２０及び検知部３００に流入することを防止する。
【００４１】
バリスタ２４０は、入力部２１０に並列接続され、過度なサージ電圧が電源供給装置２００内の変換部２２０及び検知部３００に流入することを防止する。
【００４２】
上述のように、本実施形態による電源供給装置２００は、検知部３００を備えるため、ＡＣ電源の入力の有無を容易に検知することができる。なお、低い消費電力でＡＣ電源の入力の有無を検知する検知回路を利用するため、待ち受けモード時の消費電力１Ｗを容易に達成することができる。
【００４３】
図３は、第１実施形態による検知部の構成を示すブロック図であり、図４は、第１実施形態による検知部の回路図である。
【００４４】
図３及び図４を参照すると、第１実施形態による検知部３００は、抵抗部３１０、トランスフォーマー３２０、及び出力部３３０で構成される。
【００４５】
抵抗部３１０は、トランスフォーマー３２０に直列接続される。具体的に、抵抗部３１０は、トランスフォーマー３２０に入力されるＡＣ電源の電流が予め設定された電流以下になるように、一端が入力部２１０の一端に接続され、他端がトランスフォーマー３２０の１次側コイルの一端に接続される。ここで、抵抗部３１０は、０．２ＭΩ〜２０ＭΩの抵抗値を有する。抵抗部３１０の抵抗値が２ＭΩである場合、トランスフォーマー３２０の１次側コイルに流入する電流は、略０．１μＡになる。このように、高抵抗を用いてトランスフォーマー３２０の１次側コイルに低電流が流れるようにすることで、抵抗部３１０及びトランスフォーマー３２０における消費電力を最小限化することができる。但し、このような抵抗値は一例であり、具現時にはトランスフォーマー３２０の２次側コイルの電圧が１Ｖｐｐ〜５Ｖｐｐ程度を有するように、１次側コイルに流入する電流の大きさを最小限化する範囲で、抵抗値は変更され得る。
【００４６】
一方、図４では、一つの抵抗（Ｒ１）のみで抵抗部３１０を具現したが、実施形態として、複数の抵抗を直列及び／又は並列接続して抵抗部３１０を具現することができる。
【００４７】
なお、図４では、トランスフォーマー３２０の１次側コイルの一端にのみ抵抗部３１０が接続されるものとして示しているが、実施形態として、１次側コイルの他端にのみ抵抗部３１０が接続される形態だけではなく、１次側コイルの両端のそれぞれに抵抗が接続される形態でも具現され得る。
【００４８】
トランスフォーマー３２０は、ＡＣ電源が入力され、ＡＣ電源の大きさより小さな大きさの検知信号を出力する。具体的に、トランスフォーマー３２０は、一端が抵抗部３１０に接続されて他端が入力部２１０に接続される１次側コイル、及び一端が検知信号を出力して他端が接地される２次側コイルを含む。ここで、ＡＣ電源の大きさより小さな大きさを検知信号で出力するために、１次側コイルのコイル巻数は、２次側コイルのコイル巻数より大きい。例えば、１次側コイルと２次側コイルのコイル巻数比は３００：１である。このようなコイル巻数比は一例であり、実施形態として、コイル巻数比は、具現環境に応じて変更され得る。具体的に、トランスフォーマー３２０の２次側コイルの電圧が１Ｖｐｐ〜５Ｖｐｐ程度を有するようにコイル巻数比は変更される。このように、トランスフォーマー３２０を利用することにより、出力される検知信号はＡＣ電源と電気的に絶縁された信号になる。
【００４９】
出力部３３０は、検知信号を出力する。具体的に、出力部３３０は、図４に示すように、第２抵抗（Ｒ２）で具現される。ここで、第２抵抗（Ｒ２）は、一端がトランスフォーマー３２０の２次側コイルの一端と制御部１５０とに共通接続され、他端がトランスフォーマー３２０の２次側コイルの他端と接地とに共通接続される。それにより、出力部３３０から出力される検知信号は、ＡＣ電源と電気的に絶縁された信号であり、ＡＣ電源が入力されている場合に、ＡＣ電源の交流周波数と同一の周波数を有する。
【００５０】
一方、図４では、一つの抵抗（Ｒ２）のみで出力部３３０を具現したが、実施形態として、複数の抵抗を直列及び／又は並列接続して出力部３３０を具現することができる。
【００５１】
上述のように、第１実施形態による検知部は、抵抗部及びトランスフォーマーを用いて電源供給の有無を検知するため、低い消費電力（略、０．０２６Ｗ）で電源供給の有無を検知することができる。
【００５２】
一方、上述の実施形態では、トランスフォーマー３２０の２次側コイルの一端の電圧値が検知信号として直ちに出力される場合のみを示しているが、制御部１５０で検知信号を容易に検出することができるように、検知信号に対する変換を行い、変換された検知信号を制御部１５０に提供することもできる。このような例については、以下の図５〜８を参照して説明する。
【００５３】
図５は、第２実施形態による検知部の構成を示すブロック図であり、図６は、第２実施形態による検知部の回路図である。
【００５４】
図５及び図６を参照すると、第２実施形態による検知部３００’は、抵抗部３１０、トランスフォーマー３２０、及び増幅部３４０で構成される。抵抗部３１０及びトランスフォーマー３２０の動作及び構造は、図３及び図４と同様であるため、繰り返し説明は省略する。
【００５５】
増幅部３４０は、出力される検知信号を増幅して出力する。具体的に、増幅部３４０は、トランスフォーマー３２０と制御部１５０との間に配置され、トランスフォーマー３２０から出力される検知信号を増幅して出力する。例えば、増幅部３４０は、図６に示すように、２つの抵抗（Ｒ３、Ｒ４）と一つのトランジスタ（Ｔ２）で具現される。
【００５６】
第３抵抗３４１は、一端がトランスフォーマー３２０の２次側コイルの一端に接続され、他端がトランジスタ３４３のベースに接続される。
【００５７】
第４抵抗３４２は、一端がシステム電圧（Ｖｃｃ）に接続され、他端がトランジスタ３４３のコレクタに接続される。
【００５８】
トランジスタ３４３は、コレクタが第４抵抗３４２の他端に接続され、ベースが第３抵抗３４１に接続され、エミッタがトランスフォーマー３２０の２次側コイルの他端及び接地に共通接続される。この場合、トランジスタ３４３のコレクタで増幅された検知信号が出力され、この際、増幅された検知信号の位相は、外部のＡＣ信号の位相と１８０度反転されたものになる。
【００５９】
一方、本実施形態では、ＢＪＴ（バーポーラ  ジャンクション  トランジスタ）を用いて増幅部３４０を具現した例を図示しているが、実施形態として、ＭＯＳＦＥＴ、比較器を用いて増幅部３４０を具現することができ、その他の信号増幅素子を用いて具現することもできる。
【００６０】
図７は、第３実施形態による検知部の構成を示すブロック図であり、図８は、第３実施形態による検知部の回路図である。
【００６１】
図７及び図８を参照すると、第３実施形態による検知部３００”は、抵抗部３１０、トランスフォーマー３２０、第１増幅部３５０、フィルタ部３６０、及び第２増幅部３７０で構成される。抵抗部３１０及びトランスフォーマー３２０の動作及び構造は、トランスフォーマー３２０の２次側コイルの他端が接地されていないことを除いては、図３及び図４と同様であるため、繰り返し説明は省略する。
【００６２】
第１増幅部３５０は、出力される検知信号を増幅して出力する。具体的に、第１増幅部３５０は、トランスフォーマー３２０とフィルタ部３６０との間に配置され、トランスフォーマー３２０から出力される検知信号を１次増幅して出力する。例えば、第１増幅部３５０は、図８に示すように、４つの抵抗（Ｒ５、Ｒ６、Ｒ７、Ｒ８）と一つの演算増幅器（ＯＰ１）で具現される。
【００６３】
第５抵抗３５１は、一端がトランスフォーマー３２０の２次側コイルの一端に接続され、他端が演算増幅器３５５の反転入力端及び第８抵抗３５４の一端に共通接続される。
【００６４】
第６抵抗３５２は、一端がトランスフォーマー３２０の２次側コイルの他端に接続され、他端が演算増幅器３５５の非反転入力端及び第７抵抗３５３の一端に共通接続される。
【００６５】
第７抵抗３５３は、一端が第６抵抗３５２の他端及び演算増幅器３５５の非反転入力端に共通接続され、他端が接地される。
【００６６】
第８抵抗３５４は、一端が第５抵抗３５１の他端及び演算増幅器３５５の反転入力端に共通接続され、他端が演算増幅器３５５の出力端及びフィルタ部３６０に共通接続される。
【００６７】
演算増幅器３５５は、反転入力端が第５抵抗３５１の他端及び第８抵抗３５４の一端に共通接続され、非反転入力端が第６抵抗３５２の他端及び第７抵抗３５３の一端に共通接続され、出力端が第８抵抗３５４の他端及びフィルタ部３６０に共通接続される。
【００６８】
フィルタ部３６０は、増幅された検知信号をフィルタリングする。具体的に、フィルタ部３６０は、第１増幅部３５０と第２増幅部３７０との間に配置され、第１増幅部３５０で増幅された検知信号に対するフィルタリングを行う。例えば、フィルタ部３６０は、図８に示すように、１つの抵抗（Ｒ９）と一つのキャパシタ（Ｃ１）で構成されるハイパスフィルタである。
【００６９】
キャパシタ３６１は、一端が第１増幅部３５０に接続され、他端が第９抵抗３６２の一端及び第２増幅部３７０に共通接続される。
【００７０】
第９抵抗３６２は、一端がキャパシタ３６１の他端及び第２増幅部３７０に共通接続され、他端が接地される。
【００７１】
このように、フィルタ部は、増幅された検知信号に対してハイパスフィルタリングを行うため、第１次増幅部３５０で増幅された信号のＤＣ成分を除去することができる。即ち、増幅された検知信号のＡＣ成分のみを正確に伝達することができる。
【００７２】
一方、本実施形態では、ハイパスフィルタを用いてフィルタ部３６０を具現する例のみを示しているが、実施形態として、増幅時に発生するノイズを除去するために、ローパスフィルタを用いてフィルタ部３６０を具現することができる。
【００７３】
第２増幅部３７０は、フィルタリングされた検知信号を２次増幅して出力する。具体的に、第２増幅部３７０は、フィルタ部３６０と制御部１５０との間に配置され、フィルタ部３６０でフィルタリングされた検知信号を２次増幅して出力する。例えば、第２増幅部３７０は、図８に示すように、３つの抵抗（Ｒ１０、Ｒ１１、Ｒ１２）と一つの演算増幅器（ＯＰ２）で具現される。
【００７４】
第１０抵抗３７１は、一端がフィルタ部３６０に接続され、他端が演算増幅器３７４の反転入力端及び第１１抵抗３７２の一端に共通接続される。
【００７５】
第１１抵抗３７２は、一端が第１０抵抗３７１の他端及び演算増幅器３７４の反転入力端に共通接続され、他端が第１２抵抗３７３の一端、演算増幅器３７４の出力端、及び制御部１５０に共通接続される。
【００７６】
第１２抵抗３７３は、一端が第１１抵抗３７２の他端、演算増幅器３７４の出力端、及び制御部１５０に共通接続され、他端が接地される。
【００７７】
演算増幅器３７４は、反転入力端が第１０抵抗２７１の他端及び第１１抵抗３７２の一端に共通接続され、非反転入力端が接地に接続され、出力端が第１１抵抗３７２の他端、第１２抵抗３７３の一端、及び制御部１５０に共通接続される。
【００７８】
図７及び図８を説明する上で、第１増幅部、フィルタ部、及び第２増幅部の３つの構成のいずれもが利用されるものとして示しているが、実施形態として、第１増幅部及びフィルタ部のみを抵抗部及びトランスフォーマーと共に利用する形態でも具現でき、フィルタ部及び第２増幅部のみを抵抗部及びトランスフォーマーと共に利用する形態でも具現でき、第１増幅部及び第２増幅部のみを抵抗部及びトランスフォーマーと共に利用する形態でも具現することができる。
【００７９】
図９は、本発明の一実施形態による画像形成方法を示すフローチャートである。
【００８０】
先ず、ＡＣ電源が入力されると（ステップＳ９０５）、画像形成装置を初期化する（ステップＳ９１０）。
【００８１】
そして、印刷データが入力されるか否かを判断する（ステップＳ９１５）。判断の結果、印刷データが入力されていない状態であり、印刷作業を行って予め設定された時間が過ぎた状態である場合（ステップＳ９１５のＮ）、画像形成装置の動作モードを節電モードに変更する（ステップＳ９２０）。
【００８２】
そして、ＡＣ電源の入力の有無を検知する（ステップＳ９２５、ステップＳ９３０）。検知の結果、ＡＣ電源が入力されていると判断されると（ステップＳ９３０のＹ）、現在の動作モード（即ち、節電モード）を保持し（ステップＳ９３５）、印刷データの入力を待つ。一方、図示する例では、節電モードである場合にのみＡＣ電源の入力の有無を検知するものとして示しているが、実施形態として、このようなＡＣ電源の入力の有無の検知、即ちＡＣ電源の遮断の有無の判断は、通常モードである場合にも行われ得る。
【００８３】
一方、ＡＣ電源が入力されていないと判断されると、即ちＡＣ電源供給が遮断されたと判断されると（ステップＳ９３０のＮ）、画像形成装置のシステムをリセットする（ステップＳ９４０）。具体的に、受信した印刷データがある場合に、印刷作業を取り消し、システムデータを保存部１３０にバックアップしてシステムをリセットする。
【００８４】
一方、印刷データが入力されると（ステップＳ９１５のＹ）、現在の動作モードを通常モードに変更し、印刷作業を行うためのウォームアップ（Ｗａｒｍ  ｕｐ）を行う（ステップＳ９４５）。ウォームアップが完了すると、受信した印刷データに対する印刷作業を行う（ステップＳ９５０、ステップＳ９５５）。
【００８５】
上述のように、本実施形態による画像形成方法は、ＡＣ電源の入力の有無を検知するため、ユーザが印刷作業を中断することを目的としてＡＣ電源コードを抜いてから直ぐに挿す場合にも、ユーザの意図に合う動作を行うことができる。図９のような画像形成方法は、図１の構成を有する画像形成装置上で実行されてもよく、その他の別の構成を有する画像形成装置上で実行されてもよい。
【００８６】
以上、図面を参照しながら本発明の実施形態について詳細に説明したが、本発明は、上述の実施形態に限定されるものではなく、本発明の技術的範囲から逸脱しない範囲内で多様に変更実施することが可能である。
【符号の説明】
【００８７】
１００    画像形成装置
１１０    通信インターフェース部
１２０    ユーザインターフェース部
１３０    保存部
１４０    画像形成部
１５０    制御部（Ｓｙｓｔｅｍ）
２００    電源供給装置
２１０    入力部
２２０    変換部（ＳＭＰＳ）
２３０    ヒューズ
２４０    バリスタ
３００、３００’、３００”    検知部
３１０    抵抗部（Ｒ１）
３２０    トランスフォーマー
３３０    出力部
３４０    増幅部
３４１    第３抵抗（Ｒ３）
３４２    第４抵抗（Ｒ４）
３４３    トランジスタ（Ｔ２）
３５０    第１増幅部
３５１    第５抵抗（Ｒ５）
３５２    第６抵抗（Ｒ６）
３５３    第７抵抗（Ｒ７）
３５４    第８抵抗（Ｒ８）
３５５、３７４    演算増幅器（ＯＰ１、ＯＰ２）
３６０    フィルタ部
３６１    キャパシタ（Ｃ１）
３６２    第９抵抗（Ｒ９）
３７０    第２増幅部
３７１    第１０抵抗（Ｒ１０）
３７２    第１１抵抗（Ｒ１１）
３７３    第１２抵抗（Ｒ１２）
【図１】
2013240270.tif 000003
【図２】
2013240270.tif 000004
【図３】
2013240270.tif 000005
【図４】
2013240270.tif 000006
【図５】
2013240270.tif 000007
【図６】
2013240270.tif 000008
【図７】
2013240270.tif 000009
【図８】
2013240270.tif 000010
【図９】
2013240270.tif 000011